(57)【要約】【課題】搬出手段の昇降に伴う仕切板の昇降を簡単な構成及び動作でもって行い高い信頼性を実現する自動販売機を提供すること。【解決手段】仕切板１の両側端部を、搬出通路５０の左右の側壁１５ａ、１５ｂに沿って上下動自在な１対の可動支持部材１７ａ、１７ｂで支え、仕切板１は仕切板設置部では搬出通路５０の側壁１５ａ、１５ｂに取り付けられた載置部材１６ａ、１６ｂに載置されて搬出通路５０を断熱して上下に仕切っており、搬出手段２が仕切板設置部より上方に移動すると、搬出手段２が可動支持部材１７ａ、１７ｂに当接して可動支持部材１７ａ、１７ｂを持ち上げ、仕切板１は載置部材１６ａ、１６ｂから外れて可動支持部材１７ａ、１７ｂに支えられた箇所を支点に搬出通路５０の前方または後方に回動された傾いた姿勢で搬出手段２と共に移動される。【選択図】        図６
2005010925.tif 000002
【特許請求の範囲】
【請求項１】
庫内に設けられた複数段の商品棚の前方側に形成された搬出通路を断熱して上下に仕切る仕切板と、
前記仕切板より下方で待機し、商品販売時には前記搬出通路内を移動して前記商品棚の商品を商品取出口に搬出する搬出手段とを備え、
前記搬出手段が前記仕切板より上方の前記搬出通路を移動する際には前記搬出手段と共に前記仕切板も前記搬出通路を移動される自動販売機において、
前記搬出通路の左右の側壁の仕切板設置部に１対の載置部材を取り付け、
前記仕切板の両側端部を、前記側壁に沿って上下動自在な１対の可動支持部材で支え、
前記仕切板は前記仕切板設置部では前記載置部材に載置されて前記搬出通路を断熱して上下に仕切っており、
前記搬出手段が前記仕切板設置部より上方に移動すると、前記搬出手段が前記可動支持部材に当接して前記可動支持部材を持ち上げ、前記仕切板は前記載置部材から外れて前記可動支持部材に支えられた箇所を支点に前記搬出通路の前方または後方に回動された傾いた姿勢で前記搬出手段と共に移動されることを特徴とする自動販売機。
【請求項２】
前記商品棚から外れた庫内上部にストッパを設け、前記可動支持部材に被係止部を設け、前記被係止部が前記ストッパに係止されることにより前記仕切板は前記庫内上部で保持されることを特徴とする請求項１に記載の自動販売機。
【請求項３】
前記載置部材を前記側壁に対して着脱自在にしたことを特徴とする請求項１または請求項２に記載の自動販売機。
【発明の詳細な説明】
【０００１】
【発明の属する技術分野】
本発明は、商品棚の前方側に、商品を商品取出口に搬出するための搬出手段の移動空間である搬出通路を有する自動販売機に関し、更に詳しくは、その搬出通路を断熱して上下に仕切る仕切板を搬出手段の移動の妨げにならないように動かす構成を有する自動販売機に関する。
【０００２】
【従来の技術】
従来より、容器入り飲料等の商品を販売する自動販売機において、その前扉及び内扉を透明にして庫内の商品が外側から見えるようにした、いわゆるシースルー型の自動販売機が知られている。庫内では前後方向（奥行方向）に延在して形成された複数の商品通路の各々に複数の商品が並べられ、これら商品通路を形成した商品棚の前方側に、商品を商品取出口へと搬送するための搬出手段が設けられている。
【０００３】
商品販売時には、商品通路の最前位置にある商品が商品通路上に掛けわたされた搬送ベルトの駆動などによって商品通路から搬出手段へと移載され、この商品を受け入れた搬出手段は商品取出口まで移動して商品取出口に商品を搬出する。
【０００４】
また、庫内を水平な断熱仕切で上下２室に仕切ることによって互いに温度の異なる２室構造としたものがある。このように２室構造とした場合、搬出手段の移動空間である搬出通路も仕切板により遮断されるため、搬出手段が仕切板よりも上方の商品にアクセスする場合には仕切板が搬出手段の移動を妨げないようにする必要がある。
【０００５】
例えば、特許文献１には、搬出手段が仕切板設置部よりも上方に収容された商品にアクセスする場合には、搬出手段で仕切板を持ち上げる構成が開示されている。そのとき、仕切板を折れ曲げた状態にすることで、仕切板の前端部、後端部が内扉や商品通路に擦れながら移動するのを回避するようにしている。
【０００６】
【特許文献１】
特開２０００−９０３４２号公報
【０００７】
この特許文献１によれば、仕切板は、ヒンジを介して連結された２枚の仕切板部から構成される。両仕切板部それぞれの左右の側端部にはガイド突起が形成され、搬出通路の左右の側壁には、一対の仕切板装着部材が取り付けられている。各仕切板装着部材において、仕切板部のガイド突起に向き合う面には、そのガイド突起を係合させ、これを案内するガイド溝が形成されている。
【０００８】
販売待機時には、仕切板はそのガイド突起が仕切板装着部材のガイド溝に係合した状態で装着されており、両仕切板部が一直線状に拡開された状態で加温室と冷却室との間を断熱遮断している。
【０００９】
搬出手段が上昇して仕切板装着部材を通過する際には、搬出手段の上端部に設けられた連結突起が仕切板のヒンジ近傍に設けられた１対の連結部間に係合することによって、仕切板が搬出手段に連結される。そして、搬出手段が更に上昇するのに伴い、仕切板はそのガイド突起が仕切板装着部材のガイド溝に沿って案内されることで、２枚の仕切板部が次第に折れ曲がりながら仕切板装着部材から離脱する。
【００１０】
搬出手段の下降時には、仕切板は、仕切板装着部材からの離脱時と逆の動作によって仕切板装着部材に装着され、もとの閉状態に戻る。すなわち、ガイド突起が仕切板装着部材のガイド溝に係合してガイド溝に沿って案内されることで、２枚の仕切板部が次第に拡開しながら仕切板は仕切板装着部材に装着される。
【００１１】
【発明が解決しようとする課題】
以上のように特許文献１の構成では、仕切板自体をヒンジで連結した２枚の仕切板部から構成したり、また、搬出手段と連結されての仕切板の昇降動作においては、仕切板と搬出手段との係合及びその解除、更に仕切板と仕切板装着部材との係合及びその解除を伴い、構成や動作が複雑となる。係合箇所が多数あると、係合不良あるいは係合解除不良の生じる可能性も大きくなり、信頼性の低下を招いてしまう。特に、下降時の戻り動作時に仕切板のガイド突起を仕切板装着部材のガイド溝に係合させるとき係合不良となり仕切板部が拡開されなくなると、搬出手段と仕切板との係合も解除されずに、搬出手段が仕切板に引っかかってその下降動作を行えず販売不良を引き起こしてしまう。
【００１２】
本発明は上述の問題に鑑みてなされ、その目的とするところは、搬出手段の昇降に伴う仕切板の昇降を簡単な構成及び動作でもって行い高い信頼性を実現する自動販売機を提供することにある。
【００１３】
【課題を解決するための手段】
以上の課題を解決するにあたり、本発明の自動販売機では、商品棚の商品を商品取出口に搬出する搬出手段が移動される搬出通路の左右の側壁の仕切板設置部に１対の載置部材を取り付け、仕切板の両側端部を、搬出通路の側壁に沿って上下動自在な１対の可動支持部材で支え、仕切板は仕切板設置部では載置部材に載置されて搬出通路を断熱して上下に仕切っており、搬出手段が仕切板設置部より上方に移動すると、搬出手段が可動支持部材に当接して可動支持部材を持ち上げ、仕切板は載置部材から外れて可動支持部材に支えられた箇所を支点に搬出通路の前方または後方に回動された傾いた姿勢で搬出手段と共に移動されることを特徴としている。
【００１４】
載置部材は、仕切板の左右の側端部側の下面を載置させる面を有し、販売待機中及び販売動作中を通じて、搬出通路の側壁に固定されている。仕切板の設置位置が変更されるときには、載置部材の位置も変更される。この変更を容易に行うため、載置部材を搬出通路側壁に対して着脱自在とすることが好ましい。例えば、載置部材を側壁にねじ止めするねじの頭部に、工具を使わずとも容易に回動できるつまみを取り付ければ、簡単に取り付け位置変更に対処できる。
【００１５】
搬出手段が仕切板を持ち上げるときには、仕切板を点で支える可動支持部材に単に当接してそのまま仕切板ごと可動支持部材を持ち上げ、仕切板は昇降に伴って、載置部材上からの載置が外れるか、載せ置かれるかだけであるので、信頼性の高い安定した昇降動作を行える。
【００１６】
可動支持部材は、仕切板の両側端部を点で支え、この箇所を支点に可動支持部材は回動可能とされる。したがって、搬出手段が可動支持部材を仕切板ごと持ち上げ、仕切板が載置部材の支持から外れると、仕切板は傾いて、仕切板の前後に隙間が確保され、仕切板の円滑な昇降を行える。
【００１７】
【発明の実施の形態】
以下、本発明の一例としての実施の形態について図面を参照して説明する。
【００１８】
図１は本実施の形態に係る自動販売機の庫内要部の正面図を示す。庫内には、複数段の商品棚１２が設けられている。各商品棚１２は板状を呈し、ほぼ水平に配設されている。
【００１９】
商品棚１２には、前後方向（奥行方向）に沿って複数本の搬送ベルト１０が掛けわたされている。具体的には、搬送ベルト１０は輪状のエンドレスベルトであり、商品棚１２の前方に配設されたガイドローラ１１と、商品棚１２の後端部との間に掛けわたされている。
【００２０】
搬送ベルト１０の側方には仕切壁９が取り付けられている。仕切壁９は、搬送ベルト１０の延在方向、すなわち商品棚１２の前後方向に沿って延在する長尺板状を呈している。また、仕切壁９の前端部にはゲート１３（図２、図３に示す）が取り付けられている。
【００２１】
以上のように商品棚１２上に搬送ベルト１０を掛けわたし、その搬送ベルト１０の側方に仕切壁９を取り付けることによって、前後方向に延在する複数の商品通路１４が画成される。各商品通路１４には、複数の商品が互いに密接して前後方向に沿って並んで収容される。各商品は搬送ベルト１０の上に載せられ、搬送ベルト１０が前方に駆動されると商品も前方に送られる。
【００２２】
商品棚１２とその前方の透明な内扉（図示せず）との間の空間は、搬出手段２が移動するための搬出通路５０として機能する。
【００２３】
搬出手段２は、主として、バケット４と、このバケット４を上下左右に移動させる昇降機構３から構成される。バケット４は、後面（商品棚１２に向き合う面）及び前面（手前の内扉に向き合う面）を開放した箱状を呈し、左右の側壁７ａ、７ｂ、下方に設けられたバケットベルト８、及び前面に設けられ上端部を中心に開閉自在な透明なフラッパ６によって、商品を収容可能な空間が画成されている。
【００２４】
昇降機構３は後述する駆動手段によって昇降自在とされ、販売待機時には、自動販売機の下方の待機位置に位置される。バケット４は、昇降機構３内のフレーム５ｂ上を左右方向に移動される。
【００２５】
商品販売時には、昇降機構３が、購買者に選択された商品を収容した商品通路１４のある商品棚１２まで待機位置から上昇すると共に、バケット４が昇降機構３内のフレーム５ｂ上を左右に移動してその選択された商品通路１４へと移動し、その商品通路１４の前でバケット４は停止する。
【００２６】
そして、図示しない駆動手段によって商品通路１４上の搬送ベルト１０が駆動され、且つゲート１３が上方へと回動して商品通路１４の出口を開放して、商品は商品通路１４からバケット４に乗り移る。商品がバケット４内に収容されると、昇降機構３及びバケット４は自動販売機の前面扉の下方に設けられた商品取出口まで移動し、バケットベルト８の駆動により、商品をバケット４から商品取出口へと搬出する。
【００２７】
また、庫内は、所定位置の商品棚１２間に配設された断熱材からなる板状の固定仕切２５（図４参照）によって、冷却室と加温室の２室に仕切られている。例えば固定仕切より下方を冷却室、上方を加温室として仕切っている。もちろん、固定仕切より下方を加温室、上方を冷却室としてもよい。更に、搬出手段２の移動空間である搬出通路５０も、固定仕切２５の設置位置において、後述する仕切板１によって断熱された状態で上下に仕切られている。
【００２８】
冷却室にはエバポレータやファンなどが配設され、庫外にはコンデンサやコンプレッサなどが配設され、これらから構成される冷却手段によって冷却室内の商品棚１２に収容された商品は冷却される。加温室にはヒータが設けられ、このヒータにより加温室内の商品棚１２に収容された商品が加温される。
【００２９】
図２は、向かって見て左側の仕切板設置部近傍の斜視図を示す。搬出通路５０の側壁１５ａには、例えば角柱状の載置部材１６ａが取り付けられている。載置部材１６ａの取付方法としては、例えば、ねじ止め、あるいは裏面側に形成した係合突起を側壁１５ａに形成された係合孔に係合させるなどが挙げられる。
【００３０】
載置部材１６ａの後方には、可動支持部材１７ａが側壁１５ａに沿って上下動自在に配設されている。可動支持部材１７ａは、ほぼ直角に折れ曲がった連結部１８ａを介して、２つの腕部１９ａ、２０ａが一体的に連結されて構成される。一方の腕部１９ａは前方に向かって延び、その先細りの先端は側壁１５ａの反対側に屈曲された突起部２１ａとして構成されている。
【００３１】
他方の腕部２０ａは商品の収容空間側へと延び、図４に示すように、その腕部２０ａには例えば２つのガイドローラ３１が取り付けられている。そして、商品収容空間の側壁には上下方向に延在するガイド溝３２ａが形成され、ガイドローラ３１はそのガイド溝３２ａに嵌まり込んでいる。ガイドローラ３１がガイド溝３２ａに案内されることで可動支持部材１７ａの上下方向に沿う移動がガイドされる。可動支持部材１７ａは、ガイドローラ３１とガイド溝３２ａとの嵌合により、上下方向の動きのみが許容されている。可動支持部材１７ａの下方への落下は、前方側の腕部１９ａが載置部材１６ａの上面に当接することで規制される。
【００３２】
他方の（向かって見て右側の）仕切板設置位置においても、図３に示すように、搬出通路５０の側壁１５ｂには、例えば角柱状の載置部材１６ｂが取り付けられている。この載置部材１６ｂの上面と上述した載置部材１６ａの上面とは同じ高さにされている。載置部材１６ｂの後方には、可動支持部材１７ｂが側壁１５ｂに沿って上下動自在に配設されている。
【００３３】
可動支持部材１７ｂは、ほぼ直角に折れ曲がった連結部１８ｂを介して、２つの腕部１９ｂ、２０ｂが一体的に連結されて構成される。一方の腕部１９ｂは前方に向かって延び、その先細りの先端は側壁１５ｂの反対側に屈曲された突起部２１ｂとして構成されている。
【００３４】
他方の腕部２０ｂは商品の収容空間側へと延び、上述した可動支持部材１７ａの腕部２０ａと同様、例えば２つのガイドローラ３１が取り付けられ、商品収容空間の側壁に形成された上記ガイド溝３２ａと反対側に同様に形成されたガイド溝にそのガイドローラ３１が案内されて可動支持部材１７ｂの上下方向に沿う移動がガイドされる。可動支持部材１７ｂは、ガイドローラ３１とガイド溝との嵌合により、上下方向の動きのみが許容されている。可動支持部材１７ｂの下方への落下は、前方側の腕部１９ｂが載置部材１６ｂの上面に当接することで規制される。
【００３５】
図９に仕切板１の裏面図を、図１０に仕切板１の側面図を示す。仕切板１は断熱材である例えばウレタンから構成される。仕切板１の前端部及び後端部には、シート状のゴム部材２７ａ、２７ｂが突出して設けられている。仕切板１の左右の両側端部には、仕切板１の上面側から屈曲された金属製のブラケット２８ａ、２８ｂ（図１０には一方のブラケット２８ｂのみ図示）が設けられ、そのブラケット２８ａ、２８ｂには貫通孔２９が形成されている。図１０に図示されない他方の側端部のブラケット２８ａにも貫通孔２９は形成されている。各ブラケット２８ａ、２８ｂは仕切板１の側端面との間に僅かに間隙をあけて対向している。
【００３６】
また、各ブラケット２８ａ、２８ｂは、仕切板１の短尺方向に関して、重心位置よりも後端部側に寄った位置に位置している。両ブラケット２８ａ、２８ｂに形成された貫通孔２９を結ぶ直線が仕切板１の長尺方向にほぼ平行となるように両ブラケット２８ａ、２８ｂは配置されている。
【００３７】
図４は、仕切板１が仕切板設置部で上下の空間を断熱遮断している状態を示す。仕切板１の一方のブラケット２８ａは側壁１５ａに対向して配置され、そのブラケット２８ａの貫通孔２９に可動支持部材１７ａの突起部２１ａが挿入されている。仕切板１の他方のブラケット２８ｂは、図４に示す側壁１５ａと反対側の側壁１５ｂに対向して配置され、そのブラケット２８ｂの貫通孔２９に、図３に示す可動支持部材１７ｂの突起部２１ｂが挿入されている。
【００３８】
そして、仕切板１の両側端部寄りの下面は、両載置部材１６ａ、１６ｂの上面に面接触で載置され、仕切板１は、ほぼ水平な姿勢で載置部材１６ａ、１６ｂ上に支持されている。
【００３９】
また、上述した昇降機構３は、搬出通路５０の幅方向（横方向）に沿って延在するフレーム５ａ、５ｂ（図１参照）を有し、これらフレーム５ａ、５ｂは、搬出通路５０の左右の側壁１５ａ、１５ｂに対向して設けられた１対の側板３４（側壁１５ａに対向する一方のみを図４に示す）を介して互いに連結されている。
【００４０】
側板３４の背面には、昇降用ベルト３５の一端部が連結されている。具体的には、側板３４の背面と押え具３６との間に昇降用ベルト３５を挟んで、ねじ３７を押え具３６及び昇降用ベルト３５を貫通させて側板３４の背面に締め込むことで昇降用ベルト３５は側板３４に連結されている。図６に示すように、昇降用ベルト３５は自動販売機上部に設けられたプーリ４１に掛けられており、このプーリ４１は図示しない昇降用モータに連結されている。
【００４１】
側板３４において、商品収容空間の側壁との対向面側には例えば４つのガイドローラ３３ａ、３３ｂが取り付けられ、前方側の２つのガイドローラ３３ａは、可動支持部材１７ａのガイドローラ３１が嵌まり込んでいるガイド溝３２ａに嵌まり込み、後方側の２つのガイドローラ３３ｂは、ガイド溝３２ａと平行に延在するガイド溝３２ｂに嵌まり込んでいる。これにより、ガイドローラ３３ａ、３３ｂがガイド溝３２ａ、３２ｂに案内されることで昇降機構３の昇降動作がガイドされる。
【００４２】
バケット４は、図示しない水平移動機構によって、昇降機構３内のフレーム５ｂ上を左右に水平に移動可能となっている。すなわち、昇降機構３の左右の側板３４間を移動自在である。バケット４の上部において前方寄り（内扉３０寄り）の部分には、水平面内で回動自在なガイドローラ３８が取り付けられ、このガイドローラ３８の位置に対応して、側板３４の前方寄りの部分には横方向（バケット４の水平移動方向）に延在する下に開口したコ字状のフレーム５ａが設けられている。
【００４３】
そのフレーム５ａにガイドローラ３８が案内されて、バケット４の水平移動がガイドされる。また、側板３４の上端部において、前方寄りの部分には、仕切板１の回動規制部材として、例えば樹脂材からなるピン４０が取り付けられている。
【００４４】
（販売待機時の状態）
図４に示すように、仕切板１の側端部寄りの下面は、側壁１５ａに取り付けられた載置部材１６ａの上面及び側壁１５ａと反対側の側壁１５ｂに取り付けられた載置部材１６ｂの上面に面接触で載置され、仕切板１は、ほぼ水平な姿勢で載置部材１６ａ、１６ｂ上に支持されている。
【００４５】
この状態で、仕切板１の前端部のゴム部材２７ａの先端部はその弾性力でもって内扉３０に密着し、後端部のゴム部材２７ｂもやはりその弾性力でもって、商品棚間に配設された固定仕切２５の先端部のゴム部材２５ａに密着している。これにより、固定仕切２５の上方の空間（加温室）と下方の空間（冷却室）とが固定仕切２５によって断熱遮断されると共に、搬出通路５０においても、仕切板１によってこの仕切板１の上下の空間が断熱遮断されている。
【００４６】
また、仕切板１の両側端部に突起部２１ａ、２１ｂでもって連結している可動支持部材１７ａ、１７ｂは仕切板１にぶら下がった状態となり、その重量が、仕切板１を載置部材１６ａ、１６ｂ上に押し付ける力として作用し、載置部材１６ａ、１６ｂに対する仕切板１の安定した支持を補助する。
【００４７】
なお、固定仕切２５は、例えば仕切板１と同様、ウレタンなどの断熱材からなり、商品棚間の所定位置に引き出し自在に配設され、前方側に引き出して抜き出すことが可能で、これにより加温室または冷却室の拡張や縮小に伴って、他の位置への配置換えが行えるようになっている。載置部材１６ａ、１６ｂについてもその取付位置を変更することで、仕切板１の設置位置変更に対応できる。
【００４８】
この販売待機状態では、バケット４及び昇降機構３は自動販売機の下方の待機位置（商品取出口の近傍位置）に位置される。
【００４９】
（仕切板設置部より下方の商品棚にある商品の販売動作）
コインがコイン投入口から投入あるいは紙幣が紙幣挿入口から挿入され、商品選択ボタンによって商品が選択されると、図６に示すプーリ４１が図示しないモータによって回転され、昇降用ベルト３５が駆動される。これにより、昇降用ベルト３５に連結された昇降機構３が指定された商品棚１２の高さまで上昇すると共に、これと並行してバケット４が昇降機構３内のフレーム５ｂ上を左右に移動して、指定された商品通路１４の前でバケット４は停止される。
【００５０】
次いで、商品通路１４上の搬送ベルト１０が駆動及びゲート１３が開放され、商品は商品通路１４からバケット４に乗り移る。このとき、バケットベルト８も駆動して商品の乗り移りを円滑にする。商品がバケット４に乗り移ると、昇降機構３の下降動作により、商品を受け入れたバケット４は下方に移動され、更に左右に移動して商品取出口に向き合う位置で停止される。そして、バケットベルト８が駆動されて商品がバケット４から商品取出口に搬出される。
【００５１】
以上の動作中、仕切板１は図４に示す断熱遮断状態を維持している。すなわち、仕切板設置部より下方位置の商品棚１２にある商品の搬出に際しては、仕切板１がバケット４及び昇降機構３の移動の妨げになることはないので、仕切板１を動かす必要はない。
【００５２】
（仕切板設置部より上方の商品棚にある商品の販売動作）
上述と同様にして昇降用ベルト３５の駆動により昇降機構３が上昇されると、図５に示すように、搬出通路５０の一方の側壁１５ａに対向する昇降機構３の側板３４の後部上面が可動支持部材１７ａの下端面に当接すると同時に、他方の側壁１５ｂに対向する側板３４の後部上面も、他方の可動支持部材１７ｂの下端面に当接する。このとき、昇降機構３及びバケット４は仕切板１に対しては直接干渉しない。
【００５３】
昇降機構３が更に上昇されると、左右の両側板３４は可動支持部材１７ａ、１７ｂを図示の位置から持ち上げる。可動支持部材１７ａ、１７ｂが上昇されると、可動支持部材１７ａ、１７ｂの突起部２１ａ、２１ｂによって支えられた仕切板１も持ち上げられ、仕切板１は載置部材１６ａ、１６ｂの支持から外れる。
【００５４】
仕切板１が載置部材１６ａ、１６ｂの支持から外れると、仕切板１はその両側端部が可動支持部材１７ａ、１７ｂの突起部２１ａ、２１ｂによって点で支持された状態となり、しかもその突起部２１ａ、２１ｂによる支持位置が仕切板１の重心より後方側にずれているので、図６に示すように、仕切板１は突起部２１ａ、２１ｂによる支持位置を支点に前方側に回動する。この回動により、仕切板１の前方側の下面において両側端部寄りの部分が、側板３４の上端部前方寄りに設けられたピン４０の頭部に当接し、仕切板１のそれ以上の回動が規制される。
【００５５】
この結果、仕切板１は前端部が下方に下がり後端部が上方に上がった傾斜姿勢となり、内扉３０との間に隙間が、及び商品通路１４との間にも隙間が確保された状態で搬出手段２（昇降機構３及びバケット４）と共に、仕切板設置部より上方の搬出通路５０を上昇する。したがって、仕切板１と内扉３０との間の干渉（擦れなど）、及び仕切板１と商品通路１４との干渉を防いで、円滑な上昇を行える。
【００５６】
昇降機構３が指定された商品棚１２の高さまで上昇すると共に、これと並行してバケット４が昇降機構３内のフレーム５ｂ上を左右に移動して、指定された商品通路１４の前でバケット４が停止されると、商品通路１４上の搬送ベルト１０が駆動及びゲート１３が開放され、商品は商品通路１４からバケット４に乗り移る。商品がバケット４に乗り移ると、昇降機構３は下方の商品取出口に向けて下降され、上昇時と逆の動作にて仕切板１は図４に示す状態に戻る。
【００５７】
すなわち、仕切板１は、上昇時と同様、図６に示す傾いた姿勢で下降していき、仕切板設置部に至ると、再び載置部材１６ａ、１６ｂの上面に面接触で載置され、ほぼ水平な姿勢で載置部材１６ａ、１６ｂ上に支持される。そして、仕切板１の前端部のゴム部材２７ａの先端部はその弾性力でもって内扉３０に密着し、後端部のゴム部材２７ｂもやはりその弾性力でもって、商品棚間に配設された固定仕切２５の先端部のゴム部材２５ａに密着し、仕切板１によって、仕切板１の上下の空間が断熱遮断される。
【００５８】
昇降機構３の更なる下降によりその側板３４と可動支持部材１７ａ、１７ｂとの当接は外れ、可動支持部材１７ａ、１７ｂは、再び、突起部２１ａ、２１ｂを介して仕切板１にぶら下がった状態となる。
【００５９】
昇降機構３が商品取出口の位置まで下降し、商品を受け入れたバケット４が左右に移動して商品取出口に向き合う位置となると、バケットベルト８が駆動されて商品がバケット４から商品取出口に搬出される。
【００６０】
以上述べたように本実施の形態によれば、搬出手段２が仕切板設置部を越えて昇降する際には、搬出手段２は可動支持部材１７ａ、１７ｂに対して当接するかしないかだけであり、また、仕切板１は載置部材１６ａ、１６ｂ上の支持から外れて持ち上げられるか、下降して再び載置部材１６ａ、１６ｂ上にそのまま載せ置かれるかだけであるので、簡単な構成及び動作にて確実な仕切板１の昇降動作を行わせることができる。
【００６１】
また、図３に示すように、可動支持部材１７ｂの腕部２０寄りの内面には、矩形状の板部材の一部を屈曲させて段を形成した被係止部材２６が設けられている。被係止部材２６は金属材料からなり、その一端部は可動支持部材１７ｂに対してねじ止めされて片持ち支持された板ばねとして構成される。一部を屈曲されて形成された段は、後述するストッパに係止される被係止部２６ａとして機能する。
【００６２】
図７に示すように、商品棚１２から外れた庫内上部には、前方側へと突出するストッパ４２が設けられている。商品補充時には、可動支持部材１７ａ、１７ｂを仕切板１ごと庫内上部に移動させ、可動支持部材１７ｂに設けられた被係止部材２６の被係止部２６ａをストッパ４２に係止させてその落下止めを行う。具体的には、被係止部材２６を側壁１５ｂ側に押して生じる弾性復元力でもって、被係止部２６ａをストッパ４２に弾接させる。
【００６３】
これにより、搬出手段２の支えがなくても、可動支持部材１７ａ、１７ｂ及び突起部２１ａ、２１ｂでもってこれら可動支持部材１７ａ、１７ｂに支えられる仕切板１を、商品棚１２から外れた庫内上部に保持させておくことができる。仕切板１はその前端部側あるいは後端部側が庫内の上壁面４６に当接することで回動が規制された状態となる。
【００６４】
以上のことにより、仕切板１が邪魔にならずに商品棚１２に商品補充を行える。なお、他方の可動支持部材１７ａにも被係止部材２６を取り付けると共に、この被係止部材２６が係止されるストッパ４２を他方の側壁１５ａ側に設けてもよい。
【００６５】
以上、本発明の実施の形態について説明したが、勿論、本発明はこれに限定されることなく、本発明の技術的思想に基づいて種々の変形が可能である。
【００６６】
図８は変形例による載置部材４３を示す。この載置部材４３は、板状部材をほぼ直角に屈曲させて得られる、仕切板１が載置される載置部４４ａと、側壁１５ｂへの取付部４４ｂとを有し、取付部４４ｂが側壁１５ｂに対してねじ止めされるようにしている。そのねじのつまみ４５は工具を用いずとも指で簡単に回すことができ、そのつまみ４５の操作によりねじをゆるめたり締め込んだりすることで、側壁１５ｂに対する着脱が簡単に行えるようにしている。これにより、仕切板１の設置位置変更に対する容易な対応が可能となる。
【００６７】
仕切板１はその移動時、前端部が下方に下がるように傾いた姿勢に限らず、後端部が下方に下がって前端部が上方に上がった傾斜姿勢としてもよい。また、仕切板１の下面と、その下面に対向する昇降機構３の側板３４の上端部のどちらか一方にマグネットを他方に磁性体を取り付け、両者間に磁気吸引力を発生させて仕切板１の回動を助長し、仕切板１の前端部及び後端部の擦れを確実に防ぐようにしてもよい。
【００６８】
また、仕切板１の両側端部に突起を設けて、可動支持部材１７ａ、１７ｂ側にその突起が挿入される孔を形成して、その孔でもって突起を受けて可動支持部材１７ａ、１７ｂが仕切板１の両側端部を点で支えるような構成としてもよい。
【００６９】
【発明の効果】
以上述べたように、本発明によれば、仕切板の両側端部を、搬出通路の左右の側壁に沿って上下動自在な１対の可動支持部材で支え、搬出手段が仕切板設置部より上方に移動すると可動支持部材に当接して可動支持部材を持ち上げ、仕切板は載置部材から外れて、可動支持部材に支えられた箇所を支点に搬出通路の前方または後方に回動された傾いた姿勢で搬出手段と共に移動される構成としたので、仕切板の昇降を簡単な構成及び簡単な動作で行わせることができる。この結果、販売動作の信頼性を高めることができる。
【図面の簡単な説明】
【図１】本発明の実施の形態に係る自動販売機の庫内要部の正面図である。
【図２】同自動販売機において仕切板設置部の斜視図である。
【図３】図２と反対側の側壁の仕切板設置部の斜視図である。
【図４】搬出通路要部の側面図であり、載置部材に仕切板が支持されている状態を示す。
【図５】図４の状態から昇降機構が上昇し、その側板が可動支持部材の下端部に当接した状態を示す。
【図６】図５の状態から、昇降機構が仕切板と共に上昇し、バケットが所望の商品通路前に停止された状態を示す。
【図７】可動支持部材が、商品棚から外れた庫内上部に設けられたストッパに係止された状態の斜視図である。
【図８】載置部材の変形例を示す斜視図である。
【図９】本発明に係る仕切板の裏面図である。
【図１０】同仕切板の側面図である。
【符号の説明】
１…仕切板、２…搬出手段、３…昇降機構、４…バケット、８…バケットベルト、１０…搬送ベルト、１２…商品棚、１５ａ，１５ｂ…搬出通路の側壁、１６ａ，１６ｂ…載置部材、１７ａ，１７ｂ…可動支持部材、２１ａ，２１ｂ…突起部、２５…固定仕切、２６…被係止部材、２６ａ…被係止部、３０…内扉、３５…昇降用ベルト、４０…回動規制部材、４２…ストッパ、４３…可動支持部材、５０…搬出通路。
【図１】
2005010925.tif 000003
【図２】
2005010925.tif 000004
【図３】
2005010925.tif 000005
【図４】
2005010925.tif 000006
【図５】
2005010925.tif 000007
【図６】
2005010925.tif 000008
【図７】
2005010925.tif 000009
【図８】
2005010925.tif 000010
【図９】
2005010925.tif 000011
【図１０】
2005010925.tif 000012